(57)【要約】【課題】細胞候補領域内の物体が標的細胞であるか否かを、撮像画像における細胞候補領域の像の参照のみでユーザが判断できるように図る。【解決手段】撮像部（１２）は、標的細胞を含む試料を複数の焦点距離のそれぞれで撮像し、候補領域画像取得部（２２）は、撮像された撮像画像それぞれにおける、標的細胞が写っている領域の候補たる細胞候補領域の画像を取得し、目視確認用情報表示部（２８）は、候補領域画像取得部（２２）により取得された複数の前記画像を表示する。また、目視確認用情報表示部（２８）は、細胞候補領域に標的細胞が写っているか否かに関するユーザの判断結果の入力を受け付ける。【選択図】図６
2014238344.tif 000002
【特許請求の範囲】
【請求項１】
標的細胞を含む試料を複数の焦点距離のそれぞれで撮像する撮像手段と、
前記撮像手段が撮像した撮像画像それぞれにおける、前記標的細胞が写っている領域の候補たる細胞候補領域の画像を取得する取得手段と、
前記取得手段により取得された複数の前記画像を表示する表示手段と、
前記細胞候補領域に前記標的細胞が写っているか否かに関するユーザの判断結果の入力を受け付ける手段と、
を含む画像処理システム。
【請求項２】
前記表示手段は、
前記複数の画像を、各撮像画像が撮像されたときの焦点距離に応じた整列順で一覧表示すること、
を特徴とする請求項１に記載の画像処理システム。
【請求項３】
前記表示手段は、
前記複数の画像の一つ一つを、各撮像画像が撮像されたときの焦点距離に応じた表示順序で順番に表示すること、
を特徴とする請求項１に記載の画像処理システム。
【請求項４】
前記表示手段は、
前記複数の画像を、いずれかの撮像画像における、前記細胞候補領域を含む周辺領域の画像とともに、表示すること、
を特徴とする請求項１乃至３のいずれかに記載の画像処理システム。
【請求項５】
前記表示手段は、
前記複数の画像を、各撮像画像が撮像されたときの焦点距離を示す情報とともに表示すること、
を特徴とする請求項１乃至４のいずれかに記載の画像処理システム。
【請求項６】
撮像手段が標的細胞を含む試料を複数の焦点距離のそれぞれで撮像した撮像画像それぞれにおける、前記標的細胞が写っている領域の候補たる細胞候補領域の画像を取得する取得手段と、
前記取得手段により取得された複数の前記画像を表示する表示手段と、
前記細胞候補領域に前記標的細胞が写っているか否かに関するユーザの判断結果の入力を受け付ける手段と、
を含む画像処理装置。
【請求項７】
撮像手段が標的細胞を含む試料を複数の焦点距離のそれぞれで撮像した撮像画像それぞれにおける、前記標的細胞が写っている領域の候補たる細胞候補領域の画像を取得する取得手段、
前記取得手段により取得された複数の前記画像を表示する表示手段、
前記細胞候補領域に前記標的細胞が写っているか否かに関するユーザの判断結果の入力を受け付ける手段、
としてコンピュータを機能させるためのプログラム。
【発明の詳細な説明】
【技術分野】
【０００１】
本発明は、画像処理システム、画像処理装置及びプログラムに関する。
【背景技術】
【０００２】
出生前の胎児の診断を行う場合に、母体血中に極微量に含まれる胎児由来の有核赤血球（ＮＲＢＣｓ、以下標的細胞）を検出し、利用することが行われている。母体血中に存在するＮＲＢＣｓの数は極めて少ないため、ＮＲＢＣｓを目視により検出するのは負担が大きい。そこで、下記の特許文献１に記載されているように、ＮＲＢＣｓの色、形状、位置関係、面積比等の条件に合致する細胞を対象画像から探索することにより、ＮＲＢＣｓを機械的に検出する技術が提案されている。
【先行技術文献】
【特許文献】
【０００３】
【特許文献１】特許第４３４６９２３号公報
【発明の概要】
【発明が解決しようとする課題】
【０００４】
本発明の目的は、細胞候補領域内の物体が標的細胞であるか否かを、撮像画像における細胞候補領域の像の参照のみでユーザが判断できるように図ることである。
【課題を解決するための手段】
【０００５】
上記課題を解決するための請求項１に記載の発明は、標的細胞を含む試料を複数の焦点距離のそれぞれで撮像する撮像手段と、前記撮像手段が撮像した撮像画像それぞれにおける、前記標的細胞が写っている領域の候補たる細胞候補領域の画像を取得する取得手段と、前記取得手段により取得された複数の前記画像を表示する表示手段と、前記細胞候補領域に前記標的細胞が写っているか否かに関するユーザの判断結果の入力を受け付ける手段と、を含む画像処理システムである。
【０００６】
また、請求項２に記載の画像処理システムは、請求項１に記載の画像処理システムにおいて、前記表示手段が、前記複数の画像を、各撮像画像が撮像されたときの焦点距離に応じた整列順で一覧表示すること、を特徴とする。
【０００７】
また、請求項３に記載の画像処理システムは、請求項１に記載の画像処理システムにおいて、前記表示手段が、前記複数の画像の一つ一つを、各撮像画像が撮像されたときの焦点距離に応じた表示順序で順番に表示すること、を特徴とする。
【０００８】
また、請求項４に記載の画像処理システムは、求項１乃至３のいずれかに記載の画像処理システムにおいて、前記表示手段が、前記複数の画像を、いずれかの撮像画像における、前記細胞候補領域を含む周辺領域の画像とともに、表示すること、を特徴とする。
【０００９】
また、請求項５に記載の画像処理システムは、求項１乃至４のいずれかに記載の画像処理システムにおいて、前記表示手段が、前記複数の画像を、各撮像画像が撮像されたときの焦点距離を示す情報とともに表示すること、を特徴とする。
【００１０】
また、上記課題を解決するための請求項６に記載の発明は、撮像手段が標的細胞を含む試料を複数の焦点距離のそれぞれで撮像した撮像画像それぞれにおける、前記標的細胞が写っている領域の候補たる細胞候補領域の画像を取得する取得手段と、前記取得手段により取得された複数の前記画像を表示する表示手段と、前記細胞候補領域に前記標的細胞が写っているか否かに関するユーザの判断結果の入力を受け付ける手段と、を含む画像処理装置である。
【００１１】
また、上記課題を解決するための請求項６に記載の発明は、撮像手段が標的細胞を含む試料を複数の焦点距離のそれぞれで撮像した撮像画像それぞれにおける、前記標的細胞が写っている領域の候補たる細胞候補領域の画像を取得する取得手段、前記取得手段により取得された複数の前記画像を表示する表示手段、前記細胞候補領域に前記標的細胞が写っているか否かに関するユーザの判断結果の入力を受け付ける手段、としてコンピュータを機能させるためのプログラムである。
【発明の効果】
【００１２】
請求項１、６、７の発明によれば、細胞候補領域内の物体が標的細胞であるか否かを、撮像画像における細胞候補領域の像の参照のみでユーザが判断できるように図ることができる。
【００１３】
請求項２〜５の発明によれば、本構成を有しない場合と比較して、細胞候補領域内の物体が標的細胞であるか否かをより判断し易くできる。
【図面の簡単な説明】
【００１４】
【図１】本実施形態に係る画像処理システムのシステム構成図を示す図である。
【図２Ａ】表示装置に表示される画面を示す図である。
【図２Ｂ】表示装置に表示される画面を示す図である。
【図３】各種細胞の各焦点距離における像の例を示す図である。
【図４Ａ】表示態様（１）を説明するための図である。
【図４Ｂ】表示態様（２）を説明するための図である。
【図４Ｃ】表示態様（３）を説明するための図である。
【図５】表示態様が切り替わる様子を示す図である。
【図６】画像処理システムで実現される機能群を示す機能ブロック図である。
【図７】画素塊、核候補領域、及び細胞候補領域の一例を示す図である。
【図８】領域候補データベースの記憶内容の一例を示す図である。
【図９】各候補領域画像一つ一つが順番に表示される様子を示す図である。
【図１０】画像処理装置で実行される処理の一例を示すフロー図である。
【図１１】詳細な表示の表示態様（４）を説明するための図である。
【発明を実施するための形態】
【００１５】
以下、本発明の実施形態の例について図面に基づき詳細に説明する。
【００１６】
図１は、本実施形態に係る画像処理システム１のシステム構成図を示す。図１に示すように、画像処理システム１は、光学顕微鏡２、画像処理装置４、表示装置６を含む。画像処理装置４は、光学顕微鏡２と表示装置６の各々とデータ通信可能に接続されている。
【００１７】
光学顕微鏡２は、試料台に配置されたスライドグラス上の試料を、対物レンズ等の光学系を介してＣＣＤカメラで撮像する。本実施形態では、試料には、母体血をスライドグラスに塗布し、メイ・ギムザ染色を施したものを用いる。これにより、母体血中の胎児由来有核赤血球が青紫色に染色される。以下、有核赤血球を標的細胞と称する。
【００１８】
画像処理装置４は、例えばパーソナルコンピュータであり、光学顕微鏡２で撮像された撮像画像を取得する。撮像画像は、母体血中に含まれる各種細胞の画像を含む。標的細胞（有核赤血球）の核は、メイ・ギムザ染色により他の細胞の核よりわずかに濃く染色される。
【００１９】
また、画像処理装置４は、標的細胞が写っている領域の候補となる細胞候補領域を特定し、特定した細胞候補領域それぞれの画像の一覧を表示装置６に表示する。
【００２０】
表示装置６は、画像処理装置４により特定された細胞候補領域それぞれの画像の一覧を表示する。図２Ａは、表示装置６に表示される画面の一例を示す図である。同図に示すように、画面には、特定された細胞候補領域の画像の一覧が表示される。
【００２１】
ユーザは、出生前診断にあたり、画面に表示される各画像を参照する。各細胞候補領域の画像の右上には目視結果入力ボタン１１が設けられており、ユーザは、標的細胞が写っているか否かを判断した細胞候補領域に係る目視結果入力ボタン１１をクリックし、判断結果を入力する。
【００２２】
ところで、画像を参照するだけでは、標的細胞の有無の判断がつかない場合がある。そこで、画像を参照するだけでは判断がつかない場合、焦点距離を変えながら、画像に写っている細胞の核部分の大きさの変化を光学顕微鏡２で観察する作業を行うことが考えられる。標的細胞以外の細胞（リンパ球、サイズの大きな白血球、ゴミが付着した赤血球など）の核は平坦であるため、焦点距離によらず核部分の像の大きさはほぼ一定となるが、標的細胞たる有核赤血球の核は平坦でないため、焦点距離に応じて核部分の像の大きさが変わるからである。図３に、各種細胞の各焦点距離における像の例を示した。各像の下に記載の数値は、焦点距離を表している。ここでは、焦点距離を、焦点位置のオートフォーカス位置からの下方向の距離として表している。符号「＋」は、焦点位置がオートフォーカス位置より下にあることを示し、符号「−」は、焦点位置がオートフォーカス位置より上にあることを示す。図３に示すように、焦点距離に応じて標的細胞たる有核赤血球の核の像の大きさが変化している。
【００２３】
しかし、核部分の像の大きさの変化を光学顕微鏡２で観察する作業を行うのは手間である。
【００２４】
この点、この画像処理システム１では、この手間の省略が図られている。すなわち、この画像処理システム１では、光学顕微鏡２に焦準機構が備えられている。また、光学顕微鏡２が、複数の焦点距離のそれぞれで試料を撮像するようになっている。
【００２５】
それだけでなく、図２Ａに示す画面に、画像の表示形態を選択するためのボタン７ａ、７ｂが設けられる。そして、ボタン７ｂが選択されているとき、図２Ｂに示すように、一つ一つの細胞候補領域につき、各焦点距離での画像が一覧表示されるようになっている。画像の下の数値は、焦点距離を示す。よって、以上の作業を行わずとも、ユーザが、細胞候補領域内の物体が標的細胞であるか否かを、各撮像画像における細胞候補領域の像を参照することで、判断できるようになっている。
【００２６】
また、図２Ａに示す画面において、ユーザがクリックして選択した細胞候補領域に関し詳細な表示が行われるようになっている。ここでは、詳細な表示の表示態様を選択するためのボタン１０ａ、１０ｂ、１０ｃが設けられている。そして、ボタン１０ａが選択されているとき、表示態様（１）で詳細な表示が行われる。図４Ａは、表示態様（１）を説明するための図である。表示態様（１）では、図４Ａに示されるように、ユーザが選択した細胞候補領域につき、各焦点距離での画像が一覧表示される。ここでも、画像の下の数値は、焦点距離を示す。よって、ボタン１０ａを選択することによっても、ユーザが、各撮像画像における細胞候補領域の像を参照することで細胞候補領域内の物体が標的細胞であるか否かを判断できるようになっている。
【００２７】
なお、ボタン１０ｂが選択されているとき、表示態様（２）で詳細な表示が行われる。図４Ｂは、表示態様（２）を説明するための図である。表示態様（２）では、図４Ｂに示されるように、ユーザが選択した細胞候補領域を含む周辺領域の画像が表示される。また、ボタン１０ｃが選択されているとき、表示態様（３）で詳細な表示が行われる。図４Ｃは、表示態様（３）を説明するための図である。表示態様（３）では、図４Ｃに示されるように、ユーザが選択した細胞候補領域につき、各焦点距離での画像と、周辺領域の画像と、が表示される。ユーザは、ボタン１０ａ、１０ｂ、１０ｃのうちで選択するボタンを切り替えることで、詳細な表示の表示態様を、表示態様（１）〜（３）のうちで切り替えることができる。図５に、表示態様が切り替わる様子を示した。
【００２８】
以下、撮像画像における細胞候補領域の像を参照することで細胞候補領域内の物体が標的細胞であるか否かをユーザが判断できるようにするための技術について説明する。
【００２９】
図６は、画像処理システム１で実現される機能群を示す機能ブロック図である。画像処理システム１では、撮像部１２、検体画像取得部１４、検体画像記憶部１６、細胞候補領域決定部１８、領域候補データベース２０（以下、領域候補ＤＢ２０と称する）、候補領域画像取得部２２、目視確認用情報生成部２４、目視確認用情報記憶部２６、及び目視確認用情報表示部２８が実現される。撮像部１２は、光学顕微鏡２により実現される。
【００３０】
また、撮像部１２以外の機能は、画像処理装置４により実現される。撮像部１２以外の機能は、マイクロプロセッサ等の制御手段、メモリ等の記憶手段、ユーザの操作を受け付ける操作受付手段等の外部デバイスとデータを送受信する入出力手段等を備えたコンピュータである画像処理装置４が、コンピュータ読み取り可能な情報記憶媒体（例えば、光ディスク、磁気ディスク、磁気テープ、光磁気ディスク、フラッシュメモリ等）に格納されるプログラムを読み込み実行することで実現される。なお、プログラムは、インターネット等のデータ通信網を介してコンピュータたる画像処理装置４に供給されてもよい。
【００３１】
以下、各機能について説明する。撮像部１２は、スライドグラス面上の試料を予め定められた複数の焦点距離のそれぞれで撮像し、撮像した複数の撮像画像（以下、検体画像と表記する）を検体画像取得部１４に出力する。検体画像は、画像データであり、それが撮像されたときの焦点距離がヘッダー情報として含まれる。
【００３２】
検体画像取得部１４は、上記複数の検体画像それぞれのデータを撮像部１２から取得し、取得した検体画像それぞれを、検体画像記憶部１６に保存する。焦点距離は、焦点位置のオートフォーカス位置からの下方向の距離として表される。
【００３３】
また、細胞候補領域決定部１８は、上述した細胞候補領域を決定する。具体的に、細胞候補領域決定部１８は、上記複数の検体画像のうちの１つを基準検体画像として検体画像記憶部１６から読み出し、基準検体画像のうちで、標的細胞の核に対応する核候補領域を抽出する。より詳しくは、細胞候補領域決定部１８は、基準検体画像のうちで、有意な画素の画素塊を抽出し、各画素塊の外接矩形領域を核候補領域として抽出する。ここで、有意な画素とは、画素値（ＲＧＢ値）が予め定めた範囲内にある画素のことである。そして、細胞候補領域決定部１８は、核候補領域ごとに、その核候補領域に基づいて細胞候補領域を決定する。例えば、細胞候補領域決定部１８は、核候補領域ごとに、その核候補領域を含む所与のサイズの矩形領域を細胞候補領域として決定する。図７に、画素塊３０、核候補領域３２、及び細胞候補領域３４の例を示した。図７では、左上の核候補領域３２を含む細胞候補領域３４が示されている。
【００３４】
また、細胞候補領域決定部１８は、決定した細胞候補領域３４を領域候補ＤＢ２０に登録する。すなわち、細胞候補領域決定部１８は、決定した細胞候補領域３４のレコードを領域候補ＤＢ２０に格納する。レコードには、細胞候補領域３４の領域ＩＤが含まれる。また、レコードには、細胞候補領域３４を示す座標データが含まれる。また、レコードには、細胞候補領域３４に標的細胞が写っている確度を示す数値（以下、スコアと表記する）が含まれる。また、レコードには、細胞候補領域３４に標的細胞が写っているか否かに関するユーザの判断結果を示す目視フラグの値（ここでは「０」）が含まれる。ここで、細胞候補領域決定部１８は、基準検体画像から細胞候補領域３４内の画像を切り出し、切り出した画像の画像特徴量を予め学習された識別器に入力したときの出力値を、細胞候補領域３４のスコアとして得る。画像特徴量の例としては、例えば、ＨＯＧ（Histograms of Oriented Gradients）特徴量が上げられる。スコアの値が大きいほど、細胞候補領域３４に標的細胞が写っている確度が高くなる。
【００３５】
図８は、領域候補ＤＢ２０の記憶内容を示す図である。同図に示すように、領域候補ＤＢ２０は、領域ＩＤフィールド、座標データフィールド、スコアフィールド、及び目視結果フィールドを含む。領域ＩＤフィールドには、細胞候補領域３４の領域ＩＤが格納される。座標データフィールドには、細胞候補領域３４を示す座標データが、その細胞候補領域３４の領域ＩＤに関連づけて格納される。座標データは、細胞候補領域３４の代表点（例えば、中心又は左上頂点）の位置座標と、細胞候補領域３４のサイズ（幅Ｗ及び高さＨ）と、を含む。座標データは、ピクセル表記されたデータであってもよいし、ミリメートル表記されたデータであってもよい。
【００３６】
また、スコアフィールドには、細胞候補領域３４のスコアが、その細胞候補領域３４の領域ＩＤに関連づけて格納される。また、目視結果フィールドには、目視フラグの値が、その細胞候補領域３４の領域ＩＤに関連づけて格納される。値「２」は、細胞候補領域３４に標的細胞が写っているとユーザが判断したことを示し、値「１」は、細胞候補領域３４に標的細胞が写っているかどうかが不明確であるとユーザが判断したことを示し、値「０」は、細胞候補領域３４をユーザがまだ目視していないか又は細胞候補領域３４に標的細胞が写っていないとユーザが判断したことを示す。目視フラグだけでなく細胞候補領域３４に関するユーザのコメントが、目視結果フィールドに格納されてもよい。
【００３７】
なお、細胞候補領域決定部１８は、決定した細胞候補領域３４全部を領域候補ＤＢ２０に登録してもよいし、決定した細胞候補領域３４のうち標的細胞が写っていると上記識別器により識別された細胞候補領域３４のみを領域候補ＤＢ２０に登録してもよい。ここで、標的細胞が写っていると識別された細胞候補領域３４とは、例えば、スコアが閾値以上である細胞候補領域３４や、スコアが「１」〜「Ｎ」（「Ｎ」は例えば「２００」）番目に大きい細胞候補領域３４のことである。
【００３８】
以下、領域候補ＤＢ２０に登録されている細胞候補領域３４それぞれを、細胞候補領域Ｘと称して、説明を続ける。
【００３９】
候補領域画像取得部２２は、撮像部１２が撮像した複数の検体画像それぞれにおける、細胞候補領域Ｘの画像を候補領域画像として取得する。具体的に、候補領域画像取得部２２は、検体画像記憶部１６に記憶される検体画像それぞれから、細胞候補領域Ｘの画像を候補領域画像として切り出す。候補領域画像は、画像データであり、それを含む検体画像が撮像されたときの焦点距離がヘッダー情報として含まれる。
【００４０】
目視確認用情報生成部２４は、候補領域画像取得部２２が取得した複数の候補領域画像それぞれに基づいて、目視確認用情報を生成する。具体的に、目視確認用情報生成部２４は、候補領域画像取得部２２が取得した複数の候補領域画像を含む情報を目視確認用情報として生成し、生成した目視確認用情報を、細胞候補領域Ｘの領域ＩＤに関連づけて目視確認用情報記憶部２６に記憶する。
【００４１】
目視確認用情報表示部２８は、基準検体画像における細胞候補領域Ｘの画像を表示装置６に表示する。具体的に、目視確認用情報表示部２８は、ボタン７ａが選択されているとき、基準検体画像における細胞候補領域Ｘの画像を表示装置６に表示する（図２Ａ参照）。
【００４２】
また、目視確認用情報表示部２８は、目視確認用情報に基づいて、候補領域画像取得部２２により取得された複数の候補領域画像を表示装置６に表示する。例えば、目視確認用情報表示部２８は、ボタン７ｂが選択されているとき、目視確認用情報に含まれる複数の候補領域画像を表示装置６に表示する（図２Ｂ参照）。また、例えば、目視確認用情報表示部２８は、ボタン１０ａが選択され且つ細胞候補領域Ｘがユーザにより選択されているとき、目視確認用情報に含まれる複数の候補領域画像を表示装置６に表示する（図４Ａ参照）。また、例えば、目視確認用情報表示部２８は、ボタン１０ｃが選択され且つ細胞候補領域Ｘがユーザにより選択されているとき、目視確認用情報に含まれる複数の候補領域画像を、基準検体画像における、細胞候補領域Ｘを含む周辺領域の画像とともに、表示装置６に表示する（図４Ｃ参照）。
【００４３】
ここで、目視確認用情報表示部２８は、各候補領域画像を、各検体画像が撮像されたときの焦点距離を示す情報とともに、表示する。具体的に、目視確認用情報表示部２８は、各候補領域画像を、その候補領域画像に含まれる焦点距離に関連づけて表示する（図２Ｂ、図４Ａ、及び図４Ｃ参照）。また、目視確認用情報表示部２８は、各候補領域画像を、各検体画像が撮像されたときの焦点距離に応じた整列順（例えば、焦点距離の昇順又は降順）で一覧表示する（図２Ｂ、図４Ａ、及び図４Ｃ参照）。なお、目視確認用情報表示部２８は、各候補領域画像一つ一つを、各候補領域画像に含まれる焦点距離に応じた表示順序（例えば、焦点距離の昇順又は降順）で順番に表示してもよい。各候補領域画像一つ一つが順番に表示される様子を示した。矢印は、表示される候補領域画像の遷移を示している。
【００４４】
また、目視確認用情報表示部２８は、細胞候補領域Ｘに標的細胞が写っているか否かに関するユーザの判断結果の入力を受け付ける。ここでは、目視確認用情報表示部２８は、細胞候補領域Ｘに係る目視結果入力ボタン１１（図２Ａ及び図２Ｂ参照）がクリックされた場合に、細胞候補領域Ｘに標的細胞が写っているか否かに関するユーザの判断結果の入力を受け付ける。
【００４５】
また、目視確認用情報表示部２８は、受け付けたユーザの判断結果を示す情報を、細胞候補領域Ｘの領域ＩＤに関連づけて目視結果フィールドに格納する。ここでは、目視確認用情報表示部２８は、細胞候補領域Ｘに標的細胞が写っているとの判断結果の入力を受け付けた場合、細胞候補領域Ｘの領域ＩＤに関連づけて目視結果フィールドに格納される目視フラグの値を「２」に更新し、細胞候補領域Ｘに標的細胞が写っているか不明確であるとの判断結果の入力を受け付けた場合、目視フラグの値を「１」に更新する。
【００４６】
そして、領域候補ＤＢ２０の記憶内容を基に、標的細胞の抽出が行われることになる。
【００４７】
このように、この画像処理装置４では、目視確認用情報表示部２８により、複数の焦点距離それぞれにつき、その焦点距離で試料を撮像したときの細胞候補領域３４の像が表示装置６に表示される。よって、ユーザは、各像を参照することで、細胞候補領域３４内の物体が標的細胞であるか否かを判断できる。また、各像が、焦点距離に応じた順序で表示されるので、核部分のサイズの変化が一見して把握し易くなり、上述の判断をし易くなる。
【００４８】
図１０は、画像処理装置４において、候補領域画像取得部２２、目視確認用情報生成部２４、及び目視確認用情報表示部２８により実行される処理の一例を示すフロー図である。Ｓ１０１で画像処理装置４は、検体画像記憶部１６に記憶される複数の検体画像を読み出す。また、Ｓ１０１で画像処理装置４は、領域候補ＤＢ２０に登録される複数の細胞候補領域それぞれの座標データを読み出す。
【００４９】
そして、画像処理装置４は、記憶手段に記憶される目視確認済領域リストを初期化する（Ｓ１０２）。そして、画像処理装置４は、領域候補ＤＢ２０に登録される細胞候補領域一つ一つを細胞候補領域（ｉ）として、Ｓ１０３〜Ｓ１０６のステップを実行する。
【００５０】
すなわち、Ｓ１０３で画像処理装置４は、候補領域画像取得部２２により、各検体画像における細胞候補領域（ｉ）の画像を、候補領域画像として取得する。また、Ｓ１０３で画像処理装置４は、目視確認用情報生成部２４より、取得した複数の候補領域画像を含む目視確認用情報を生成し、目視確認用情報記憶部２６に保存する。
【００５１】
そして、例えば細胞候補領域（ｉ）がユーザに選択された場合に、画像処理装置４は、目視確認用情報表示部２８により、目視確認用情報記憶部２６に記憶される目視確認用情報を読み出し、目視確認用情報に含まれる複数の候補領域画像それぞれを表示装置６に表示する（Ｓ１０４）。例えば、Ｓ１０４で画像処理装置４は、各候補領域画像を、各候補領域画像に含まれる焦点距離に応じた整列順で一覧表示する（図４Ａ参照）。また、例えば、Ｓ１０４で画像処理装置４は、各候補領域画像の一つ一つを、各候補領域画像に含まれる焦点距離に応じた表示順序で順番に表示する（図９参照）。また、例えば、Ｓ１０４で画像処理装置４は、各候補領域画像を、基準検体画像における、細胞候補領域（ｉ）を含む周辺領域の画像とともに表示する（図４Ｃ参照）。
【００５２】
そして、画像処理装置４は、目視確認用情報表示部２８により、細胞候補領域（ｉ）に標的細胞が写っているか否かに関するユーザの判断結果の入力を受け付ける。また、受け付けた入力に基づいて、細胞候補領域（ｉ）に標的細胞が写っているとユーザが判断したか否かを判定する（Ｓ１０５）。
【００５３】
細胞候補領域（ｉ）に標的細胞が写っているとユーザが判断した場合（Ｓ１０５のＹ）、細胞候補領域（ｉ）の領域ＩＤに関連づけて目視結果フィールドに格納される目視フラグの値を「２」に更新する。また、細胞候補領域（ｉ）を目視確認済領域リストに登録する（Ｓ１０６）。
【００５４】
一方、細胞候補領域（ｉ）に標的細胞が写っていないとユーザが判断した場合（Ｓ１０５のＮ）、画像処理装置４は、他の細胞候補領域を細胞候補領域（ｉ）としてＳ１０３以降のステップを実行する。
【００５５】
最後に、Ｓ１０７で画像処理装置４は、目視確認済領域リストを出力する。
【００５６】
なお、本発明の実施形態は、上記実施形態だけに限らない。
【００５７】
例えば、以上では、有核赤血球が標的細胞である場合について述べたが、有核赤血球以外の細胞が標的細胞であってもよい。すなわち、本発明は、有核赤血球以外の細胞が標的細胞である場合にも適用可能である。
【００５８】
また、例えば、画像処理装置４は、ボタン１０ｂが選択されているとき表示態様（２）で詳細な表示を行うのではなく（図４Ｂ参照）、表示態様（４）で詳細な表示を行ってもよい。図１１は、表示態様（４）を説明するための図である。同図に示すように、表示態様（４）では、各焦点距離での周辺領域の画像一つ一つが順番に表示される。
【符号の説明】
【００５９】
１  画像処理システム、２  光学顕微鏡、４  画像処理装置、６  表示装置、７ａ，７ｂ，１０ａ，１０ｂ，１０ｃ  ボタン、１１  目視結果入力ボタン、１２  撮像部、１４  検体画像取得部、１６  検体画像記憶部、１８  細胞候補領域決定部、２０  領域候補ＤＢ、２２  候補領域画像取得部、２４  目視確認用情報生成部、２６  目視確認用情報記憶部、２８  目視確認用情報表示部、３０  画素塊、３２  核候補領域、３４  細胞候補領域。
【図１】
2014238344.tif 000003
【図２Ａ】
2014238344.tif 000004
【図２Ｂ】
2014238344.tif 000005
【図３】
2014238344.tif 000006
【図４Ａ】
2014238344.tif 000007
【図４Ｂ】
2014238344.tif 000008
【図４Ｃ】
2014238344.tif 000009
【図５】
2014238344.tif 000010
【図６】
2014238344.tif 000011
【図７】
2014238344.tif 000012
【図８】
2014238344.tif 000013
【図９】
2014238344.tif 000014
【図１０】
2014238344.tif 000015
【図１１】
2014238344.tif 000016